(57)【要約】【課題】  電装品の防水性又は防滴性を向上する。【解決手段】  非透水性の可撓性シート材により略袋状に形成されるとともに複数の開口部１２を有する電装品被覆具１であって、複数の開口部１２は、それぞれ、電装品２０を挿通可能な大きさに形成され、内面側に該開口部１２を閉じて止着する止着手段１３を有する。【選択図】  図１
2017174603.tif 000002
【特許請求の範囲】
【請求項１】
非透水性の可撓性シート材からなる略袋状の本体部に、複数の開口部が形成されている電装品被覆具であって、
前記複数の開口部は、それぞれ、電装品を挿通可能な大きさに形成され、
前記本体部には、前記開口部を閉じるように内面同士を止着する止着手段が設けられていることを特徴とする電装品被覆具。
【請求項２】
前記止着手段は、前記内面同士を着脱可能に止着する手段であることを特徴とする請求項１記載の電装品被覆具。
【請求項３】
前記止着手段は、凹溝部と、該凹溝部に着脱可能に嵌り合う突条部とからなるチャックであることを特徴とする請求項２記載の電装品被覆具。
【請求項４】
前記止着手段よりも外方側に、外方へゆくにしたがって開口面積を狭めるノズル部を設けたことを特徴とする請求項１乃至３何れか１項記載の電装品被覆具。
【請求項５】
前記止着手段が前記開口部の縁に沿う線上に設けられるとともに、同線上に、前記止着手段を有さない止着不能領域が設けられていることを特徴とする請求項１乃至４何れか１項記載の電装品被覆具。
【請求項６】
前記止着手段が第１の止着手段であり、
前記開口部の縁に交差する方向へ連続する第２の止着手段が設けられていることを特徴とする請求項１乃至５何れか１項記載の電装品被覆具。
【請求項７】
請求項１乃至６何れか１項記載の電装品被覆具を具備した開閉装置。
【発明の詳細な説明】
【技術分野】
【０００１】
本発明は、例えば、シャッター装置のシャッター収納部内に設置される電気配線用コネクターや、リモコン受信機、障害物感知用放電管のアンプ等の電装品を水滴から保護する電装品被覆具及び該電装品被覆具を具備した開閉装置に関するものである。
【背景技術】
【０００２】
従来、この種の発明には、例えば特許文献１に記載されるもののように、露出端部を同方向へ向けて束ねられた複数本の電線について、前記露出端部を閉端接続子（圧着スリーブ等）により接続し、この接続部分に防炎キャップや防水袋を被せ、該防水袋の周囲から電線露出部分にかけてテープを巻き締めるようにした洗濯機用電気配線の防水構造が知られている。
【先行技術文献】
【特許文献】
【０００３】
【特許文献１】特開２０１４−１８０４０８号公報
【発明の概要】
【発明が解決しようとする課題】
【０００４】
上記従来技術によれば、前記防水袋には単一の開口部が設けられ、この単一の開口部に多数の電線を挿通するようにしている。このため、隣接する電線間には隙間を生じ易く、この隙間から水分が浸入するおそれがある。
また、防水袋から電線露出部分にかけテープを巻き締めなければならず、その巻き締め作業に時間がかかる上、メンテナンス等のために防水袋を外す作業も困難である。
【課題を解決するための手段】
【０００５】
このような課題に鑑みて、本発明は、以下の構成を具備するものである。
非透水性の可撓性シート材からなる略袋状の本体部に、複数の開口部が形成されている電装品被覆具であって、前記複数の開口部は、それぞれ、電装品を挿通可能な大きさに形成され、前記本体部には、前記開口部を閉じるように内面同士を止着する止着手段が設けられていることを特徴とする電装品被覆具。
【発明の効果】
【０００６】
本発明は、以上説明したように構成されているので、電装品の防水性又は防滴性を向上することができる。
【図面の簡単な説明】
【０００７】
【図１】本発明に係る電装品被覆具の一例について、電装品を覆った状態を示す平面図であり、要部を切欠して示している。
【図２】同電装品被覆具について内部を拡げた状態を示す要部断面図である。
【図３】同電装品被覆具により電装品を覆う手順を（ａ）〜（ｃ）に順次に示す縦断面図である。
【図４】（ａ）は本発明に係る電装品被覆具の他例について、電装品を覆った状態を示す平面図であり、（ｂ）は同電装品被覆具の要部断面図である。
【図５】本発明に係る電装品被覆具の他例を示す平面図であり、要部を切欠して示している。
【図６】本発明に係る電装品被覆具の他例を示す平面図であり、要部を切欠して示している。
【発明を実施するための形態】
【０００８】
本実施の形態の第１の特徴は、非透水性の可撓性シート材からなる略袋状の本体部に、複数の開口部が形成されている電装品被覆具であって、前記複数の開口部は、それぞれ、電装品を挿通可能な大きさに形成され、前記本体部には、前記開口部を閉じるように内面同士を止着する止着手段が設けられている（図１〜図６参照）。
【０００９】
第２の特徴としては、前記止着手段を、前記内面同士を着脱可能に止着する手段とした（図１〜図６参照）。
【００１０】
第３の特徴としては、前記止着手段が、凹溝部と、該凹溝部に着脱可能に嵌り合う突条部とからなるチャックである（図２参照）。
【００１１】
第４の特徴としては、前記止着手段よりも外方側に、外方へゆくにしたがって開口面積を狭めるノズル部を設けた（図４参照）。
【００１２】
第５の特徴としては、前記止着手段が前記開口部の縁に沿う線上に設けられるとともに、同線上に、前記止着手段を有さない止着不能領域が設けられている（図５参照）。
【００１３】
第６の特徴としては、前記止着手段が第１の止着手段であり、前記開口部の縁に交差する方向へ連続する第２の止着手段が設けられている（図６参照）。
【００１４】
第７の特徴としては、前記電装品被覆具を具備して開閉装置を構成した。
【００１５】
＜第１の実施態様＞
次に、上記特徴を有する具体的な実施態様について、図面に基づいて詳細に説明する。
図１は、本発明に係る電装品被覆具の一例を示す。
この電装品被覆具１は、非透水性の可撓性シート材により袋状に形成され、内部が中空の本体部１１と、該本体部１１の端部側に設けられた複数（図示例によれば２つ）の開口部１２と、各開口部１２を閉じて本体部１１の内面同士を止着する止着手段１３とを有する。そして、この電装品被覆具１は電装品２０を覆う。
【００１６】
本体部１１は、一端側と他端側に開口部１２を有する中空状であって、その内部を拡げた状態で図２に示すように筒状になる。
この本体部１１を形成する可撓性シート材は、ポリエチレンやポリプロピレン、ポリ塩化ビニル等、水分の浸透を阻む可撓性のシート材であればよく、好ましくは難燃性や自己消化性を有するものが用いられる。
【００１７】
各開口部１２は、外部から内部に電装品２０を挿入可能な大きさに形成される。
【００１８】
止着手段１３は、各開口部１２の少なくとも一部を閉じて着脱可能に止着する手段であればよく、図示例によれば、本体部１１に一体成形された樹脂製チャックを用い、開口部１２の全領域を閉じるように設けられる。
この樹脂製チャックは、詳細に説明すれば、図２に示すように、本体部１１の上半部側の内面に沿って周方向へ連続する突条部１３ａと、同本体部１１の下半部側の内面に沿って周方向へ連続する凹溝部１３ｂとを具備し、これら突条部１３ａと凹溝部１３ｂを嵌め合せたり離脱したりすることで、開口部１２を開閉する。
【００１９】
なお、止着手段１３の他例としては、粘着テープ、ファスナー（ジッパー）、面ファスナー、ホック等を用いることが可能である。
【００２０】
また、電装品２０は、直線状に並ぶ二本の電線２３，２３を電気的に接続するコネクターであり、オス側部材２１と、該オス側部材２１に着脱可能に嵌合されたメス側部材２２とから構成される。オス側部材２１は、一方の電線２３の端部に接続され、メス側部材２２は、他方の電線２３の端部に接続されている。
【００２１】
次に、上記構成の電装品被覆具１によって電装品２０を被覆する手順について説明する。
先ず、図３（ａ）に示すように、一方の電線２３の自由端部側に開口部１２を被せるようにして（換言すれば開口部１２に電線２３を挿通するようにして）、電装品被覆具１を一方の電線２３の周囲まで移動する。
そして、図３（ｂ）に示すように、電装品被覆具１を、さらに同方向へ移動して、左右の電線２３，２３とその間の電装品２０を電装品被覆具１によって覆う。
次に、電装品被覆具１の左右端部側について、それぞれ、電線２３の挿通部分を残すようにして、止着手段１３の突条部１３ａと凹溝部１３ｂを嵌め合せる（図３（ｃ）参照）。
【００２２】
上記構成の電装品被覆具１によれば、電装品２０全体を電装品被覆具１によって覆うことができる上、各開口部１２と電線２３の間に生じる隙間を止着手段１３の止着により小さくすることができる。
しかも、複数の開口部１２にそれぞれ電線２３を挿通するようにしているため、単一の開口部に複数の電線を挿通するようにした従来技術等と比較し、各開口部１２に挿通される電線２３の数を少なくすることができ、ひいては、隣接する電線間の隙間を少なくすることができる。
よって、外部から電装品被覆具１内へ水分が浸入するのを効果的に防ぐことができ、電装品の防水性又は防滴性を向上することができる。
また、止着手段１３が着脱可能であるため、電装品２０に対するメンテナンス等の際に、止着手段１３を外したり交換したり作業を容易に行うことができる。
【００２３】
そして、上記構成の電装品被覆具１は、例えば、シャッター装置等の開閉装置において、開閉体（具体的にはシャッターカーテン）を巻き取る巻取軸を収納するための収納ケースで、前記巻取軸の回転駆動源となる開閉機や、制御回路、障害物感知装置等の電気配線の接続箇所や、その他の電気部品や電気機器、センサアンプ等の電装品２０に対し装着される。
この開閉装置によれば、開閉体を巻き取る動作により該開閉体や巻取軸に付着した水滴が収納ケース内で周囲に飛散し、その水滴が電装品２０に直接付着して漏電するようなことを防ぐことができる。
【００２４】
＜第２の実施態様＞
次に、本発明に係る電装品被覆具の他例について説明する。なお、以下に示す電装品被覆具は、上述した電装品被覆具１の一部を変更したものであるため、主にその変更部分について詳述し、略同一の部分については重複する説明を省略する。
【００２５】
図４に示す電装品被覆具２は、電装品被覆具１に対し、止着手段１３よりも外方側に、外方へゆくにしたがって開口面積を徐々に狭めるノズル部１４を設けている。
【００２６】
ノズル部１４は、電装品被覆具１の本体部１１と同材質の可撓性シート材であり、本体部１１の端部に接続されている。このノズル部１４を本体部１１に接続する手段は、熱溶着、あるいは本体部１１との一体成形とすればよい。
このノズル部１４は、その内部を拡げた状態で、先端部に開口部１２’を有する略円錐筒状に形成される。
開口部１２’は、電装品２０の外周部に接触又は近接して、該電装品２０を挿通する大きさに形成される。
【００２７】
上記構成の電装品被覆具２は、電装品被覆具１と同様の手順（図３参照）にて、電装品２０を覆うように装着される。
この電装品被覆具２によれば、水滴等が、電線２３を伝って電装品被覆具１内へ浸入するのを、ノズル部１４によって効果的に防ぐことができる。
【００２８】
＜第３の実施態様＞
図５に示す電装品被覆具３は、上記電装品被覆具１に対し、止着手段１３を有さない止着不能領域１５を設けたものである。
詳細に説明すれば、本体部１１の内面側には、開口部１２の縁に沿う仮想線上に、間隔を置いて二つの止着手段１３，１３が設けられ、これら二つの止着手段１３，１３の間が、止着手段１３を有さない止着不能領域１５になっている。
【００２９】
そして、この電装品被覆具３は、電装品被覆具１と同様の手順（図３参照）にて、電装品２０を覆うように装着され、この装着作業において、止着不能領域１５に電線２３を挿通する（図５参照）。
したがって、作業中に電線２３が径方向へ揺さぶられる等した場合でも、各止着手段１３の突条部１３ａと溝１３ｂの嵌合が外れ難く、ひいては、電装品２０を効果的に防水することができる。
【００３０】
＜第４の実施態様＞
図６に示す電装品被覆具４は、上記止着手段１３を第１の止着手段１３とし、開口部１２の縁に直交する方向へ連続する第２の止着手段１６を設けたものである。
【００３１】
第２の止着手段１６は、止着手段１３の長手方向の中央を通る中心線（図６によれば電線２３）を間に置くようにして２つ設けられる。
各第２の止着手段１６は、上記止着手段１３と同様に突条部１６ａと凹溝部１６ｂからなる樹脂製チャックであり、本体部１１に一体成形されている。
【００３２】
上記構成の電装品被覆具４は、電装品被覆具１と同様の手順（図３参照）にて、電装品２０を覆うように装着され、この装着作業において、２つの第２の止着手段１６の間に電線２３が挿通される（図６参照）。
したがって、作業中に電線２３が径方向へ揺さぶられる等した場合でも、第１の止着手段１３の突条部１３ａと溝１３ｂの嵌合が外れ難く、ひいては、電装品２０を効果的に防水することができる。
【００３３】
なお、図示しない他例としては、電装品被覆具３（図５参照）に対し、電装品被覆具４（図６参照）の第２の止着手段１６，１６を加えて、止着手段１３を更に外れ難くすることも可能である。
【００３４】
また、図示しない他例としては、電装品被覆具３（図５参照）又は電装品被覆具４（図６参照）に対し、電装品被覆具２（図４）のノズル部１４を設けることも可能である。
【００３５】
また、上記実施態様では、電装品被覆具１をコネクターとしたが、この電装品被覆具１の他例としては、シャッター装置における障害物感知のための光電管アンプや、リモコン受信機、その他の電装品とすることも可能である。
【００３６】
また、上記実施態様では、２つの開口部１２（又は１２’）を具備したが、他例としては、３以上の開口部１２（又は１２’）を具備することも可能である。
【００３７】
また、上記第３の実施態様（図５参照）では、止着手段１３を分断する止着不能領域１５を単数設けるようにしたが、他例としては、止着不能領域１５を間隔を置いて複数設けた態様とすることも可能である。
【００３８】
また、上記第４の実施態様（図６）参照では、第１の止着手段１３よりも内側に第２の止着手段１６を配置したが、他の好ましい態様としては、止着手段１３よりも外側に第２の止着手段１６を配置することも可能である。この態様によれば、電線２３の揺さぶり等による第１の止着手段１３の外れをより効果的に防ぐことができる。
【００３９】
また、本発明は上述した実施態様に限定されず、本発明の要旨を変更しない範囲で適宜変更可能である。
【符号の説明】
【００４０】
１，２，３，４，５：電装品被覆具
１１：本体部
１２，１２’：開口部
１３：止着手段（第１の止着手段）
１３ａ：突条部
１３ｂ：凹溝部
１４：ノズル部
１５：止着不能領域
１６：第２の止着手段
２０：電装品
【図１】
2017174603.tif 000003
【図２】
2017174603.tif 000004
【図３】
2017174603.tif 000005
【図４】
2017174603.tif 000006
【図５】
2017174603.tif 000007
【図６】
2017174603.tif 000008